(57)【要約】【課題】リアルタイムプライシングの電力契約形態に対応し、１日トータルの電力消費量を抑えると共に、ユーザーの快適性を極力維持することが可能な空調制御装置を提供する。【解決手段】受信部３０は、ＲＴＰ電気料金を受信する。入力部１０は、空調装置２を運転するための制御目標値となるＲＴＰ設定値を設定するときの基準となるユーザー設定値をユーザーが入力可能である。制御部４０は、ＲＴＰ電気料金が所定の基準価格より高価な時間帯は、ＲＴＰ設定値をユーザー設定値から空調装置２の能力を緩和する側に変更する。また、制御部４０は、ＲＴＰ電気料金が所定の基準価格より安価な時間帯は、ＲＴＰ設定値をユーザー設定値と同じにするか、または、空調装置２の能力を過多にする側に変更する。報知部２０は、制御部４０が設定したＲＴＰ設定値をユーザーに報知する。【選択図】図９
2019052769.tif 000002
【特許請求の範囲】
【請求項１】
空調装置（２）を駆動制御する空調制御装置であって、
リアルタイムプライシングのＲＴＰ電気料金を受信する受信部（３０）と、
前記空調装置を運転するための制御目標値となるＲＴＰ設定値を設定するときの基準となるユーザー設定値をユーザーが入力可能な入力部（１０）と、
前記受信部で受信したＲＴＰ電気料金が所定の基準価格より高価な時間帯は、ＲＴＰ設定値をユーザー設定値から前記空調装置の能力を緩和する側に変更し、前記受信部で受信したＲＴＰ電気料金が所定の基準価格より安価な時間帯は、ＲＴＰ設定値をユーザー設定値と同じにするか、または、前記空調装置の能力を過多にする側に変更する制御部（４０）と、
前記制御部が設定したＲＴＰ設定値をユーザーに報知する報知部（２０）と、を備える空調制御装置。
【請求項２】
前記制御部は、ユーザーが入力したユーザー設定値からＲＴＰ電気料金に応じて変更したＲＴＰ設定値で前記空調装置を運転し、
前記報知部は、ユーザー設定値を変更したＲＴＰ設定値で前記空調装置が運転されていることを報知する、請求項１に記載の空調制御装置。
【請求項３】
前記報知部は、ユーザー設定値を変更したＲＴＰ設定値で前記制御部が前記空調装置を運転することによる電気代の低減量または快適指標の少なくとも一方を表示する、請求項１または２に記載の空調制御装置。
【請求項４】
前記制御部は、ＲＴＰ設定値のタイムスケジュールを１つまたは複数作成するものであり、
前記空調制御装置は、１つまたは複数のタイムスケジュールの中から任意のタイムスケジュールをユーザーが選択することの可能なタイムスケジュール選択部（１４）をさらに備える、請求項１ないし３のいずれか１つに記載の空調制御装置。
【請求項５】
前記空調制御装置は、ＲＴＰ設定値をユーザー設定値から変更することを禁止する時間帯である変更禁止時間帯をユーザーが入力することの可能な変更禁止時間帯入力部（１２）をさらに備える、請求項１ないし４のいずれか１つに記載の空調制御装置。
【請求項６】
前記制御部は、
ＲＴＰ電気料金が所定の基準価格より高価であるほど、ＲＴＰ設定値をユーザー設定値から前記空調装置の能力を緩和する側に大きく変更し、
ＲＴＰ電気料金が所定の基準価格より安価であるほど、ＲＴＰ設定値をユーザー設定値から前記空調装置の能力を過多にする側に大きく変更する、請求項１ないし５のいずれか１つに記載の空調制御装置。
【請求項７】
前記空調制御装置は、ＲＴＰ設定値をユーザー設定値から変更するときの上限値および下限値をユーザーが入力することの可能な上限値・下限値入力部（１３）をさらに備える、請求項１ないし６のいずれか１つに記載の空調制御装置。
【請求項８】
前記制御部は、ＲＴＰ設定値をユーザー設定値から変更することを禁止する時間帯である変更禁止時間帯を除き、ＲＴＰ設定値を、ユーザー設定値から変更するときの上限値および下限値の範囲内で変更する、請求項１ないし７のいずれか１つに記載の空調制御装置。
【発明の詳細な説明】
【技術分野】
【０００１】
本発明は、空調装置を駆動制御する空調制御装置に関するものである。
【背景技術】
【０００２】
近年、電気料金の設定またはインセンティブの支払に応じて需要者が電力の使用を抑制するように電力消費パターンを変化させるデマンドレスポンス（以下、ＤＲという）に関する開発が進められている。ＤＲは、電気料金型ＤＲとインセンティブ型ＤＲに分けられる。電気料金型ＤＲは、電力需要のピーク時に電気料金を値上げするなど多様な電気料金を設定することで、需要者に電力消費の抑制を促す仕組みである。インセンティブ型ＤＲは、電力会社と需要者との間で予め電力需要のピーク時などに節電する契約を結んだ上で、電力会社からの依頼に応じて需要者が節電した場合に電力会社がインセンティブを支払うことで、需要者に電力消費の抑制を促す仕組みである。
【０００３】
特許文献１には、インセンティブ型ＤＲに対応して、所定の時間帯における設備機器の電力消費量を調整する機器制御装置が記載されている。この機器制御装置は、設備機器の電力消費量に応じて課金に及ぼされる費用影響と、ユーザーの操作指示に基づく設備機器の動作により設備機器の周囲の空間に及ぼされる快適性の影響を提示部により提示するものである。
【０００４】
特許文献２には、電気料金型ＤＲに対応した空調装置の予備運転の運転スケジュールを作成する空調制御装置が記載されている。空調装置の予備運転とは、空調対象である部屋の利用開始時刻までに、その部屋の温度を設定温度にほぼ等しくするための運転である。この空調制御装置は、予備運転にかかる電気料金が低額となるように、予備運転に消費される電力消費量と電力単価情報とに基づき、予備運転の開始時刻と空調設備の負荷とを定めた予備運転の運転スケジュールを作成するものである。
【先行技術文献】
【特許文献】
【０００５】
【特許文献１】特許第５９６７２６５号公報
【特許文献２】特開２０１６−４４８５５号公報
【発明の概要】
【発明が解決しようとする課題】
【０００６】
しかしながら、上述した特許文献１に記載の機器制御装置は、節電する時間帯が限られているインセンティブ型ＤＲに対応するものであり、電気料金型ＤＲのうち２４時間の電気料金が所定時間毎（例えば３０分毎）に変動するリアルタイムプライシングに対応するものではない。すなわち、この機器制御装置は、限られた時間帯における設備機器の電力消費量を調整することに適しているが、空調対象空間を２４時間空調するような設備機器の電力消費量を調整することに適していない。仮に、特許文献１に記載の機器制御装置を、リアルタイムプライシングの電力契約形態で使用すれば、１日のうちで設備機器の周囲の空間に及ぼされる快適性が悪化する時間帯が生じると共に、１日トータルでとらえた場合の省エネ効果が悪化するおそれがある。
【０００７】
また、上述した特許文献２に記載の機器制御装置は、空調装置の予備運転の運転スケジュールを生成するに過ぎない。上述したように、電気料金型ＤＲのうちリアルタイムプライシングの電力契約形態では、２４時間の電気料金が所定時間ごとに変動する。しかしながら、特許文献２に記載の機器制御装置は、空調対象空間を２４時間空調するような運転スケジュールについて考慮されておらず、リアルタイムプライシングの電力契約形態に対応するものではない。
【０００８】
本発明は上記点に鑑みて、リアルタイムプライシングの電力契約形態に対応し、１日トータルの電力消費量を抑えると共に、ユーザーの快適性を極力維持することが可能な空調制御装置を提供することを目的とする。
【課題を解決するための手段】
【０００９】
上記目的を達成するため、請求項１に係る発明は、空調装置（２）を駆動制御する空調制御装置であって、受信部（３０）、入力部（１０）、制御部（４０）および報知部（２０）を備える。受信部は、リアルタイムプライシングによるＲＴＰ電気料金を受信する。入力部は、空調装置を運転するための制御目標値となるＲＴＰ設定値を設定するときの基準となるユーザー設定値をユーザーが入力可能である。制御部は、受信部で受信したＲＴＰ電気料金が所定の基準価格より高価な時間帯は、ＲＴＰ設定値をユーザー設定値から空調装置の能力を緩和する側に変更する。また、制御部は、受信部で受信したＲＴＰ電気料金が所定の基準価格より安価な時間帯は、ＲＴＰ設定値をユーザー設定値と同じにするか、または、空調装置の能力を過多にする側に変更する。報知部は、制御部が設定したＲＴＰ設定値をユーザーに報知する。
【００１０】
これにより、この空調制御装置は、ＲＴＰの電力契約形態においてＲＴＰ電気料金が所定の基準価格より高価な時間帯は、電力消費量を低減することが可能である。一方、空調制御装置は、ＲＴＰ電気料金が所定の基準価格より安価な時間帯は、快適性を維持するか、または空調装置により余分に生成した温熱又は冷熱を空調対象空間などに蓄熱することが可能である。そのため、この空調制御装置は、空調対象空間の２４時間空調を行う際、ＲＴＰ電気料金が所定の基準価格より高価な時間帯と安価な時間帯とで、電力消費量と快適性を両立した運転スケジュールを組み立てることが可能である。したがって、この空調制御装置は、１日トータルの電力消費量を抑えると共に、ユーザーの快適性を極力維持することができる。
【００１１】
なお、上記各構成に付した括弧内の符号は、後述する実施形態に記載する具体的構成との対応関係の一例を示したものである。
【図面の簡単な説明】
【００１２】
【図１】一実施形態に係る空調制御装置の構成を示すブロック図である。
【図２】（Ａ）は空調制御装置が備えるディスプレイの模式図であり、（Ｂ）はそのディスプレイの遷移画面であり、タイムスケジュールの一例を示す図である。
【図３】図２（Ｂ）に示したタイムスケジュールの拡大図である。
【図４】ＲＴＰ電気料金とＲＴＰ設定値との関係を示すグラフである。
【図５】ユーザー設定値および基準価格を変えた場合のタイムスケジュールの一例を示す図である。
【図６】深夜に変更禁止時間帯が設定されたタイムスケジュールの一例を示す図である。
【図７】昼間に変更禁止時間帯が設定されたタイムスケジュールの一例を示す図である。
【図８】上限温度および下限温度が設定されたタイムスケジュールの一例を示す図である。
【図９】空調制御装置が実行する制御処理を示すフローチャートである。
【発明を実施するための形態】
【００１３】
以下、本発明の実施形態について図面を参照しつつ説明する。なお、明細書および各図面に示された温度、湿度、日時、時間、価格、快適性などの具体的数値は、説明の便宜上一例を示したものであり、本発明を限定するものではない。
【００１４】
本発明の一実施形態の空調制御装置１は、住宅またはビルなどに設置される空調装置２を駆動制御するものである。空調制御装置１は、空調装置２を自動制御運転し、空調対象空間の２４時間空調を行うことが可能である。この空調制御装置１は、その自動制御運転を行う際、リアルタイムプライシングにより所定時間毎（例えば３０分毎）に変動するＲＴＰ電気料金に応じて、空調装置２を運転するための制御目標値となるＲＴＰ設定値を、ユーザーが指定したユーザー設定値から適切に変更することが可能である。
【００１５】
図１に示すように、空調制御装置１は、ディスプレイ３、および制御装置４などを備えている。ディスプレイ３は、報知部２０と入力部１０とが一体に構成されたタッチパネル式ディスプレイである。なお、報知部２０と入力部１０は、ディスプレイ３と入力スイッチとが別々に構成されたものであってもよい。入力部１０は、ユーザー設定値入力部１１、変更禁止時間帯入力部１２、上限値・下限値入力部１３、タイムスケジュール選択部１４などを有している。一方、報知部２０は、室温等報知部２１、設定値報知部２２、快適指標報知部２３、省エネ効果報知部２４、タイムスケジュール報知部２５などを有している。これらの機能については後述する。
【００１６】
制御装置４は、受信部３０と制御部４０を有している。なお、受信部３０と制御部４０は、一体に構成されていてもよく、または、別々に構成されていてもよい。受信部３０は、ＲＴＰ電気料金受信部３１により、電力会社等から送信されるＲＴＰ電気料金（ＲＴＰ価格ともいう）を受信する。なお、リアルタイムプライシングの電力契約形態では、当日のＲＴＰ電気料金は、遅くとも前日のうちに受信することが可能である。制御部４０は、タイムスケジュール作成部４１、電気代算出部４２、運転制御部４３などを有している。これらの機能については後述する。
【００１７】
図２（Ａ）は、ディスプレイ３の具体的な表示画面の一例を示す図である。画面の上部左側には、今日の日付と現在時刻が表示されている。画面の上部右側には、室温等報知部２１により、現在の室温および湿度が表示されている。これと共に、現在の外気温などを表示しても良い。
【００１８】
現在日時の下には、設定値報知部２２により、現在の設定温度とユーザー設定値が表示されている。現在の設定温度は、運転制御部４３が空調装置２を自動制御運転するための制御目標値での一例である。以下の説明では、運転制御部４３が空調装置を運転するための制御目標値を、ＲＴＰ設定値またはＲＴＰ設定温度という。なお、ＲＴＰ設定値は、温度に限らず、例えば湿度、風量または風速等であってもよい。一方、ユーザー設定値は、入力部１０が有するユーザー設定値入力部１１にユーザーが入力した値であり、ＲＴＰ設定を設定するときの基準となる値である。なお、ユーザーがユーザー設定値入力部１１へユーザー設定値を入力する方法は、画面操作、スイッチ操作、音声入力、スマホ通信など、種々の入力方法を採用することが可能である。ユーザー設定値も、温度に限らず、例えば湿度、風量または風速等であっても良い。
【００１９】
制御部４０は、ユーザーが入力したユーザー設定値から、受信部３０で受信したＲＴＰ電気料金に応じて変更し、ＲＴＰ設定値を決定する。そして、制御部４０は、ＲＴＰ設定値により空調装置２を運転する。詳細には、制御部４０は、ＲＴＰ電気料金が所定の基準価格より高価な時間帯は、ＲＴＰ設定値をユーザー設定値から空調装置２の能力を緩和する側に変更する。一方、制御部４０は、ＲＴＰ電気料金が所定の基準価格より安価な時間帯は、ＲＴＰ設定値をユーザー設定値と同じにするか、または、空調装置２の能力を過多にする側に変更する。なお、所定の基準価格は、任意に設定可能である。例えば、所定の基準価格は、例えば１週間または数週間のＲＴＰ電気料金の平均値としてもよいし、または、ユーザーが任意に設定してもよい。
【００２０】
図２（Ａ）に示した表示画面の例では、現在の設定温度（すなわちＲＴＰ設定温度）は２８℃であり、ユーザー設定値は２７℃と表示されている。この場合、制御部４０は、空調装置２を自動制御運転するためのＲＴＰ設定値を、ユーザー設定値から空調装置２の冷房能力を緩和する側に変更している。
【００２１】
現在の設定温度の下には、快適指標報知部２３により、現在の快適指標が表示されている。快適指標の表示としては、快適、やや快適、やや不快、不快といった文字での表示でも良いし、例えばＰＭＶ（Predicted Mean Vote）などによる数字の表示であっても良いし、或いは、顔文字の表示であっても良い。
【００２２】
現在の快適指標の下には、省エネ効果報知部２４により、今日の電気代が表示されている。今日の電気代として、午前０時から現在時刻までに空調装置２にかかった電気代の積算値が示されている。また、括弧内には、午前０時から現在時刻までに空調装置２にかかった電気代の積算値と、仮にユーザー設定値で空調装置２が運転されたときに午前０時から現在時刻までにかかる電気代の積算値との差額が表示されている。なお、括弧内には、＋△円、−□円のような符号と数字による表示をしても良い。すなわち、括弧内には、省エネ効果報知部２４により、ユーザー設定値を変更したＲＴＰ設定値で空調装置２を自動制御運転したことによる電気代の低減量が示される。
【００２３】
今日の電気代の下には、現在時刻から所定時間経過後のＲＴＰ設定値が表示されている。図２（Ａ）では、「３０分後の設定温度：２６℃」として、ＲＴＰ設定値を変更するタイミングと、変更後のＲＴＰ設定値が表示されている。
【００２４】
なお、図示していないが、空調制御装置１により空調装置２の自動制御運転を行っている時には、ディスプレイ３に「自動制御中」などの表示をしても良い。
【００２５】
現在の設定温度とユーザー設定値の右側には、「スケジュール」と表記されたボタンが表示されている。そのボタンにユーザーが触れると、ディスプレイ３は、図２（Ｂ）の画面に切り替わる。図２（Ｂ）は、制御部４０が有するタイムスケジュール作成部４１により作成されたタイムスケジュールの一例が、タイムスケジュール報知部２５によりディスプレイ３に表示されたものである。
【００２６】
図２（Ｂ）の拡大図を図３に示す。図３のタイムスケジュールでは、破線ＥＲにＲＴＰ電気料金の推移を示し、実線ＳＴにＲＴＰ設定値の推移を示している。なお、タイムスケジュール作成部４１は、１つまたは複数のタイムスケジュールを作成する。そのタイムスケジュールとして、例えば、ユーザー設定値で空調装置２が運転されたときの電気代よりも１日トータルの電気代が数十円節約できるパターンＡと、その電気代が数百円節約できるパターンＢを作成してもよい。或いは、タイムスケジュールとして、例えば、ユーザー設定値で空調装置２が運転されたときの電力消費量よりも１日トータルの電力消費量が数百ｋＷ節約できるパターンＣを作成してもよい。
【００２７】
図３および図４のグラフに示したように、制御部４０は、ＲＴＰ電気料金が所定の基準価格より高価であるほど、ＲＴＰ設定値をユーザー設定値から空調装置２の能力を緩和する側に大きく変更する。なお、空調装置２の能力を緩和するとは、空調装置２が空調対象空間の冷房を行う場合には設定温度を上げること、空調装置２が空調対象空間の暖房を行う場合には設定温度を下げること、或いは、風速または風量を低下することをいう。
【００２８】
一方、制御部４０は、ＲＴＰ電気料金が所定の基準価格より安価であるほど、ＲＴＰ設定値をユーザー設定値から空調装置２の能力を過多にする側に大きく変更する。空調装置２の能力を過多にするとは、空調装置２が空調対象空間の冷房を行う場合には設定温度を下げること、空調装置２が空調対象空間の暖房を行う場合には設定温度を上げること、或いは、風速または風量を増加することをいう。なお、制御部４０は、ＲＴＰ電気料金が所定の基準価格より安価であるときには、ＲＴＰ設定値をユーザー設定値と同じにしてもよい。
【００２９】
図５は、空調装置２が冷房を行う場合のタイムスケジュールの一例を示している。このタイムスケジュールは、ＲＴＰ電気料金が基準価格より高価なときにＲＴＰ設定値をユーザー設定値から空調装置２の能力緩和側へ変更し、ＲＴＰ電気料金が基準価格より安価なときにＲＴＰ設定値をユーザー設定値から空調装置２の能力過多側へ変更したものである。図５のタイムスケジュールでは、破線ＤＶにユーザー設定値を示し、破線ＢＰに基準価格を示している。なお、このタイムスケジュールの例では、ユーザー設定値が例えば２７℃、基準価格が例えば２８円として作成されている。このタイムスケジュールの例では、６：４５頃〜９：１５頃、１１：２０頃〜２２：４０頃にＲＴＰ電気料金が所定の基準価格より高価となっている。そのため、その時間帯のＲＴＰ設定温度は、ユーザー設定値から空調装置２の能力緩和側へ変更されている。一方、０：００〜６：４５頃、９：１５頃〜１１：２０頃、２２：４０頃〜０：００にＲＴＰ電気料金が所定の基準価格より安価となっている。そのため、その時間帯のＲＴＰ設定温度は、ユーザー設定値から空調装置２の能力過多側へ変更されている。
【００３０】
さらに、本実施形態の空調制御装置１では、ユーザーは、入力部１０が有する変更禁止時間帯入力部１２に入力操作を行うことで、ＲＴＰ設定値をユーザー設定値から変更することを禁止する時間帯である変更禁止時間帯を指定することが可能である。
【００３１】
図６は、変更禁止時間帯が２３：３０〜６：３０に指定された場合のタイムスケジュールの一例を示している。このタイムスケジュールの例では、ユーザー設定値が例えば２７℃、基準価格が例えば２８円として作成されている。このタイムスケジュールの例では、２３：３０〜６：３０の間で、ＲＴＰ電気料金が所定の基準価格より安価となっている時間帯があるが、その時間帯は変更禁止時間帯であるため、ＲＴＰ設定温度はユーザー設定値と同一の値となっている。これにより、ユーザーは、部屋が冷え過ぎることが無いので、夜間の快適な睡眠を得ることができる。
【００３２】
一方、図７は、変更禁止時間帯が１２：００〜１６：００に指定された場合のタイムスケジュールの一例を示している。このタイムスケジュールの例では、ユーザー設定値が例えば２７℃、基準価格が例えば２８円として作成されている。このタイムスケジュールの例では、１２：００〜１６：００の間で、ＲＴＰ電気料金が所定の基準価格より高価となっている時間帯があるが、その時間帯は変更禁止時間帯であるため、ＲＴＰ設定温度はユーザー設定値と同一の値となっている。これにより、ユーザーは、昼間の快適な活動時間を得ることができる。
【００３３】
また、本実施形態の空調制御装置１では、ユーザーは、入力部１０が有する上限値・下限値入力部１３に入力操作を行うことで、ＲＴＰ設定値をユーザー設定値から変更するときの上限値および下限値を指定することが可能である。
【００３４】
図８は、設定温度の上限値が２９℃、下限値が２５℃に指定された場合のタイムスケジュールの一例を示している。このタイムスケジュールの例では、ユーザー設定値が例えば２７℃、基準価格が例えば２８円として作成されている。このタイムスケジュールの例では、１３：４５頃〜１５：３０頃、１７：４５頃〜１９：３０頃の間で、ＲＴＰ電気料金が所定の基準価格より大幅に高価になっているが、その時間帯のＲＴＰ設定温度は上限値となっている。また、このタイムスケジュールの例では、０：００〜６：３０頃、１０：００頃〜１１：００頃、２２：４５頃〜０：００の間で、ＲＴＰ電気料金が所定の基準価格より大幅に安価になっているが、その時間帯のＲＴＰ設定温度は下限値となっている。
【００３５】
ユーザーは、入力部１０が有するタイムスケジュール選択部１４に入力操作を行うことにより、タイムスケジュール作成部４１が作成した１つまたは複数のタイムスケジュールの中から、１つのタイムスケジュールを選択することが可能である。制御部４０は、ユーザーに１つのタイムスケジュールをユーザーが選択した後、そのタイムスケジュールに従い、運転制御部４３により空調装置２を自動制御運転する。これにより、空調装置２による空調対象空間の２４時間空調が行われる。
【００３６】
次に、空調制御装置１が実行する制御処理について、図９のフローチャートを参照して説明する。
ステップＳ１０で受信部３０は、電力会社等から送信される翌日のＲＴＰ電気料金を受信する。
次にステップＳ２０で、ユーザーが変更禁止時間帯入力部１２に入力操作を行い、ＲＴＰ設定値をユーザー設定値から変更することを禁止する時間帯である変更禁止時間帯を指定する。なお、ステップＳ２０は、このタイミングで行われなくても良く、ユーザーの適当なタイミングで、予め指定されていても良い。また、変更禁止時間帯が指定されていない場合、制御部４０がタイムスケジュールを作成するタイミングでそのことをユーザーへ報知しても良い。
【００３７】
次にステップＳ３０で制御部４０が有する電気代算出部４２は、仮にユーザー設定値で空調装置２が運転されたときの１日の電気代を、ＲＴＰ電気料金に基づいて算出する。
続いてステップＳ４０で制御部４０が有するタイムスケジュール作成部４１は、１日トータルの電気代が、ステップＳ３０で算出した電気代以下となるＲＴＰ設定値のタイムスケジュールを１つ以上作成する。このとき、タイムスケジュール作成部４１は、変更禁止時間帯は、ＲＴＰ設定値をユーザー設定値と同一の値とする。
【００３８】
次にステップＳ５０で報知部２０が有するタイムスケジュール報知部２５は、ステップＳ４０で作成したタイムスケジュールをユーザーへ報知する。ここで、前述した変更禁止時間帯が指定されていない場合、そのことをポップアップ等のアラートでユーザーに報知しても良い。その場合、ユーザーが変更禁止時間帯を指定するか否かを「はい」または「いいえ」で選択した後、処理は次のステップに進む。
【００３９】
続いてステップＳ６０でユーザーは、入力部１０が有するタイムスケジュール選択部１４に入力操作を行うことで、１つまたは複数のタイムスケジュールの中から、１つのタイムスケジュールを選択することが可能である。なお、制御装置４の初期設定により、タイムスケジュールをユーザーが選択しない場合の処理を定めておくことも可能である。例えば、タイムスケジュールをユーザーが選択しない場合、所定のパターンのタイムスケジュールが自動的に選択されるように設定しておくことも可能である。或いは、タイムスケジュールをユーザーが選択しない場合、空調装置２がユーザー設定値で運転されるように設定しておくことも可能である。これにより、ユーザーは、タイムスケジュールを選択する手間を省くことができる。その後、制御部４０は、所定のタイムスケジュールに従い、運転制御部４３により空調装置２を自動制御運転する。
【００４０】
次にステップＳ７０で制御部４０は、空調制御装置１が空調装置２を自動制御運転している間、現在の快適指標と、本日の現在時刻までの電気代と、本日節約できた電気代を算出し、ディスプレイ３に表示する。
【００４１】
以上説明した本実施形態の空調制御装置１は、次の作用効果を奏することが可能である。
（１）本実施形態の空調制御装置１が備える制御部４０は、ＲＴＰ電気料金が所定の基準価格より高価な時間帯は、ＲＴＰ設定値をユーザー設定値から空調装置２の能力を緩和する側に変更する。また、制御部４０は、ＲＴＰ電気料金が所定の基準価格より安価な時間帯は、ＲＴＰ設定値をユーザー設定値と同じにするか、または、空調装置２の能力を過多にする側に変更する。
これにより、この空調制御装置１は、リアルタイムプライシングの電力契約形態においてＲＴＰ電気料金が所定の基準価格より高価な時間帯は、電力消費量を低減することが可能である。一方、空調制御装置１は、ＲＴＰ電気料金が所定の基準価格より安価な時間帯は、快適性を維持するか、または空調装置２により余分に生成した温熱又は冷熱を空調対象空間などに蓄熱することが可能である。そのため、この空調制御装置１は、空調対象空間の２４時間空調を行う際、ＲＴＰ電気料金が所定の基準価格より高価な時間帯と安価な時間帯とで、電力消費量と快適性を両立した運転スケジュールを組み立てることが可能である。したがって、この空調制御装置１は、１日トータルの電力消費量を抑えると共に、ユーザーの快適性を極力維持することができる。
【００４２】
（２）本実施形態では、報知部２０は、ユーザー設定値を変更したＲＴＰ設定値で空調装置２が運転されていることを報知する。これによれば、ユーザーは、空調装置２がＲＴＰ電気料金に応じたＲＴＰ設定値で自動制御運転されていることを認識することができる。そのため、ＲＴＰ電気料金が変動しても、ユーザーは省エネ効果が分かるので、安心感を得ることができる。
【００４３】
（３）本実施形態では、報知部２０は、ユーザー設定値を変更したＲＴＰ設定値で制御部４０が空調装置２を運転することによる電気代の低減量または快適指標の少なくとも一方を表示する。これによれば、ＲＴＰ電気料金が変動しても、ユーザーは空調制御装置１の空調制御による電気代の低減量が分かるので、安心感を得ることができる。また、ユーザーは、快適指標が示されていることで、自ら快適性を維持するような行動予定を立てることができる。
【００４４】
（４）本実施形態では、制御部４０は、ＲＴＰ設定値のタイムスケジュールを１つまたは複数作成する。ユーザーは、タイムスケジュール選択部１４を操作することにより、１つまたは複数のタイムスケジュールの中から任意のタイムスケジュールを選択することが可能である。これによれば、ユーザーの趣向に適合したタイムスケジュールが選択可能となり、快適性と省エネ効果の両立を図ることができる。また、タイムスケジュールにより時間帯毎のＲＴＰ設定値が示されるので、ユーザーは、自ら快適性を維持するような１日の行動予定を立てることができる。
【００４５】
（５）本実施形態では、ユーザーは、変更禁止時間帯入力部１２に入力操作を行うことで、ＲＴＰ設定値をユーザー設定値から変更することを禁止する時間帯である変更禁止時間帯を入力することが可能である。これによれば、ユーザーは、例えば就寝時間帯、家事の時間帯、または来客時間帯などに変更禁止時間帯を設定することで、その時間帯に空調対象空間にいる者の快適性が悪化することを防ぐことができる。
【００４６】
（６）本実施形態では、制御部４０は、ＲＴＰ電気料金が所定の基準価格より高価であるほど、ＲＴＰ設定値をユーザー設定値から空調装置２の能力を緩和する側に大きく変更する。一方、制御部４０は、ＲＴＰ電気料金が所定の基準価格より安価であるほど、ＲＴＰ設定値をユーザー設定値から空調装置２の能力を過多にする側に変更する。これによれば、制御部４０は、ＲＴＰ電気料金の変動に応じて、ＲＴＰ設定値をユーザー設定値から適切に変更することが可能である。したがって、この空調制御装置１は、１日トータルの電力消費量を抑えると共に、快適性を極力維持することができる。
【００４７】
（７）本実施形態では、ユーザーは、上限値・下限値入力部１３に入力操作を行うことで、ＲＴＰ設定値をユーザー設定値から変更するときの上限値および下限値を入力することが可能である。これによれば、制御部４０は、ＲＴＰ電気料金が大きく変動した場合でも、ＲＴＰ設定値を上限値と下限値の範囲内とすることで、ユーザーの快適性が悪化することを防ぐことができる。
【００４８】
（他の実施形態）
本発明は上記した実施形態に限定されるものではなく、特許請求の範囲に記載した範囲内において適宜変更が可能である。
（１）例えば、上記実施形態で説明したステップＳ２０の処理において、ユーザーは、入力部１０が有する上限値・下限値入力部１３に入力操作を行うことで、ＲＴＰ設定値の上限値および下限値を設定できるようにしても良い。
【００４９】
（２）ところで、ユーザーが変更禁止時間帯に就寝時間帯を含めていない場合、ＲＴＰ電気料金が大きく変動する場合には就寝時間帯にユーザーが暑いまたは寒いなど不快となるＲＴＰ設定温度が設定される可能性がある。そこで、上記実施形態で説明したステップＳ６０の処理において、就寝時間帯にユーザーが不快になることが予想される場合には、そのことをポップアップ等でアラート表示し、ユーザーに報知してもよい。ただし、全てのユーザーが同じような就寝時間とは限らないため、ユーザーが就寝時間帯をインプットしておいても良いし、例えば寝室に設置される人感センサなどの就寝時間を予測する手段により、ユーザーの就寝時間帯を予測しても良い。
【００５０】
（３）例えば、上記実施形態で説明したステップＳ８０の処理において、空調制御装置１にて判断された快適指数とユーザーの感じる快適性とのギャップがあった場合は、ディスプレイ３に表示されている快適指数を編集または訂正できるように構成しても良い。その場合、制御部４０は、ユーザーが編集した快適指数を学習し、次回以降、その学習により補正した快適指数を表示するようにする。
【００５１】
（４）例えば、上記実施形態において、ユーザーがＲＴＰ電気料金に基づいて作成されたタイムスケジュールで自動制御運転がされることを望まない場合、ユーザー設定値のままの設定値で空調装置が運転されることを選択できるようにしても良い。
【００５２】
（５）上記実施形態において、実施形態を構成する要素は、特に必須であると明示した場合および原理的に明らかに必須であると考えられる場合等を除き、必ずしも必須のものではないことは言うまでもない。また、上記実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記実施形態において、構成要素等の形状、位置関係等に言及するときは、特に明示した場合および原理的に特定の形状、位置関係等に限定される場合等を除き、その形状、位置関係等に限定されるものではない。
【００５３】
（まとめ）
上述の実施形態の一部または全部で示された第１の観点によれば、空調装置を駆動制御する空調制御装置は、受信部、入力部、制御部および報知部を備える。受信部は、ＲＴＰ電気料金を受信する。入力部は、空調装置を運転するための制御目標値となるＲＴＰ設定値を設定するときの基準となるユーザー設定値をユーザーが入力可能である。制御部は、受信部で受信したＲＴＰ電気料金が所定の基準価格より高価な時間帯は、ＲＴＰ設定値をユーザー設定値から空調装置の能力を緩和する側に変更する。また、制御部は、受信部で受信したＲＴＰ電気料金が所定の基準価格より安価な時間帯は、ＲＴＰ設定値をユーザー設定値と同じにするか、または、空調装置の能力を過多にする側に変更する。報知部は、制御部が設定したＲＴＰ設定値をユーザーに報知する。
【００５４】
第２の観点によれば、制御部は、ユーザーが入力したユーザー設定値からＲＴＰ電気料金に応じて変更したＲＴＰ設定値で空調装置を運転する。報知部は、ユーザー設定値を変更したＲＴＰ設定値で空調装置が運転されていることを報知する。これによれば、ユーザーは、空調装置がＲＴＰ電気料金に応じたＲＴＰ設定値で運転されていることを認識することができる。そのため、ＲＴＰ電気料金が変動しても、ユーザーは空調制御装置が設定したＲＴＰ設定値により省エネ効果が分かるので、安心感を得ることができる。
【００５５】
第３の観点によれば、報知部は、ユーザー設定値を変更したＲＴＰ設定値で制御部が空調装置を運転することによる電気代の低減量または快適指標の少なくとも一方を表示する。これによれば、ＲＴＰ電気料金が変動しても、ユーザーは空調制御装置の空調制御による電気代の低減量が分かるので、安心感を得ることができる。また、ユーザーは、快適指標が示されていることで、自ら快適性を維持するような行動予定を立てることができる。
【００５６】
第４の観点によれば、制御部は、ＲＴＰ設定値のタイムスケジュールを１つまたは複数作成するものである。空調制御装置は、１つまたは複数のタイムスケジュールの中から任意のタイムスケジュールをユーザーが選択することの可能なタイムスケジュール選択部をさらに備える。これによれば、ユーザーは、自らの要求に応じたタイムスケジュールを選択することで、快適性と省エネ効果の両立を図ることができる。また、タイムスケジュールにより時間帯毎のＲＴＰ設定値が示されるので、ユーザーは、自ら快適性を維持するような１日の行動予定を立てることができる。
【００５７】
第５の観点によれば、空調制御装置は、ＲＴＰ設定値をユーザー設定値から変更することを禁止する時間帯である変更禁止時間帯をユーザーが入力することの可能な変更禁止時間帯入力部をさらに備える。これによれば、ユーザーは、空調制御装置がユーザー設定値と同一のＲＴＰ設定値で空調装置を動作させる変更禁止時間帯を任意に設定することが可能である。そのため、例えば就寝時間帯、家事の時間帯、または来客時間帯などに変更禁止時間帯を設定することで、その時間帯に空調対象空間の居住者の快適性が悪化することを防ぐことができる。
【００５８】
第６の観点によれば、制御部は、ＲＴＰ電気料金が所定の基準価格より高価であるほど、ＲＴＰ設定値をユーザー設定値から空調装置の能力を緩和する側に大きく変更する。一方、制御部は、ＲＴＰ電気料金が所定の基準価格より安価であるほど、ＲＴＰ設定値をユーザー設定値から空調装置の能力を過多にする側に変更する。これによれば、制御部は、ＲＴＰ電気料金の変動に応じて、ＲＴＰ設定値をユーザー設定値から適切に変更することが可能である。したがって、この空調制御装置は、１日トータルの電力消費量を抑えると共に、快適性を極力維持することができる。
【００５９】
第７の観点によれば、空調制御装置は、ＲＴＰ設定値をユーザー設定値から変更するときの上限値および下限値をユーザーが入力することの可能な上限値・下限値入力部をさらに備える。これによれば、制御部は、ＲＴＰ電気料金が大きく変動した場合でも、ＲＴＰ設定値を上限値と下限値の範囲内とすることで、ユーザーの快適性が悪化することを防ぐことができる。
【００６０】
第８の観点によれば、制御部は、ＲＴＰ設定値をユーザー設定値から変更することを禁止する時間帯である変更禁止時間帯を除き、ＲＴＰ設定値を、ユーザー設定値から変更するときの上限値および下限値の範囲内で変更する。これによれば、空調制御装置は、ユーザー設定値の変更を禁止する時間帯や、ＲＴＰ設定値の上限値および下限値を設定することにより、１日トータルの電力消費量を抑えると共に、ユーザーの快適性を極力維持することができる。
【符号の説明】
【００６１】
１    空調制御装置
２    空調装置
１０  入力部
２０  報知部
３０  受信部
４０  制御部
【図１】
2019052769.tif 000003
【図２】
2019052769.tif 000004
【図３】
2019052769.tif 000005
【図４】
2019052769.tif 000006
【図５】
2019052769.tif 000007
【図６】
2019052769.tif 000008
【図７】
2019052769.tif 000009
【図８】
2019052769.tif 000010
【図９】
2019052769.tif 000011